(57)【要約】【課題】寝心地に優れた、２つのスプリングコイル内蔵マットレスが上下に積層された積層マットレスを提供すること。【解決手段】本発明は、第１タイプのスプリングコイルを含む第１スプリング構造体と、第１スプリング構造体の上面側に設けられた第１上面保護材と、第１スプリング構造体の下面側に設けられた第１下面保護材と、を有する第１マットレスと、第２タイプのスプリングコイルを含む第２スプリング構造体と、第２スプリング構造体の上面側に設けられた第２上面保護材と、第２スプリング構造体の下面側に設けられた第２下面保護材と、を有する第２マットレスと、を備える。第１マットレスの第１上面保護材と第２マットレスの第２下面保護材とが互いに固定され、両者の対向する面の一方は、トリコット生地からなっており、両者の対向する面の他方の少なくとも一部は、面ファスナーのフック面となっている。【選択図】図６
2018033860.tif 000002
【特許請求の範囲】
【請求項１】
第１タイプのスプリングコイルを含む第１スプリング構造体と、
前記第１スプリング構造体の上面側に設けられた第１上面保護材と、
前記第１スプリング構造体の下面側に設けられた第１下面保護材と、
を有する第１マットレスと、
第２タイプのスプリングコイルを含む第２スプリング構造体と、
前記第２スプリング構造体の上面側に設けられた第２上面保護材と、
前記第２スプリング構造体の下面側に設けられた第２下面保護材と、
を有する第２マットレスと、
を備え、
前記第１マットレスの前記第１上面保護材と前記第２マットレスの前記第２下面保護材とが互いに固定される積層マットレスであって、
前記第１マットレスの前記第１上面保護材と前記第２マットレスの前記第２下面保護材との互いに対向する面の一方は、トリコット生地からなっており、
前記第１マットレスの前記第１上面保護材と前記第２マットレスの前記第２下面保護材との互いに対向する面の他方の少なくとも一部は、面ファスナーのフック面となっている
ことを特徴とする積層マットレス。
【請求項２】
前記第１マットレスの前記第１上面保護材と前記第２マットレスの前記第２下面保護材との互いに対向する面の他方の外縁部が、面ファスナーのフック面となっている
ことを特徴とする請求項１に記載の積層マットレス。
【請求項３】
前記第２マットレスの前記第２上面保護材の更に上に、第３マットレスが積層されるようになっており、
前記第２マットレスの前記第２上面保護材と前記第３マットレスの下面との互いに対向する面の一方は、トリコット生地からなっており、
前記第２マットレスの前記第２上面保護材と前記第３マットレスの下面との互いに対向する面の他方の少なくとも一部は、面ファスナーのフック面となっている
ことを特徴とする請求項１または２に記載の積層マットレス。
【請求項４】
前記第２マットレスの前記第２上面保護材と前記第３マットレスの下面との互いに対向する面の他方の外縁部が、面ファスナーのフック面となっている
ことを特徴とする請求項３に記載の積層マットレス。
【請求項５】
前記第３マットレスの更に上に、第４マットレスが積層されるようになっており、
前記第３マットレスの上面及び前記第４マットレスの下面の一方は、トリコット生地からなっており、
前記第３マットレスの上面及び前記第４マットレスの下面の他方の少なくとも一部は、面ファスナーのフック面となっている
ことを特徴とする請求項１乃至４のいずれかに記載の積層マットレス。
【請求項６】
前記第３マットレスの上面及び前記第４マットレスの下面の他方の外縁部が、面ファスナーのフック面となっている
ことを特徴とする請求項５に記載の積層マットレス。
【請求項７】
前記第１タイプのスプリングコイルは、６０ｍｍ〜１７０ｍｍの厚みを有している
ことを特徴とする請求項１乃至６のいずれかに記載の積層マットレス。
【請求項８】
前記第２タイプのスプリングコイルは、４０ｍｍ〜８０ｍｍの厚みを有している
ことを特徴とする請求項１乃至７のいずれかに記載の積層マットレス。
【発明の詳細な説明】
【技術分野】
【０００１】
本発明は、２つのスプリングコイル内蔵マットレスが上下に積層される積層マットレスに関する。
【背景技術】
【０００２】
クッション性のよいマットレスとして、スプリングコイルが略全面に広がるように内蔵されたマットレスが広く知られている。スプリングコイルとしては、ポケットコイルやボンネルコイルが知られている。
【０００３】
一方で、収納スペースを小さくできるため、丸めてロール状に変形させることが可能なウレタン製マットレスも広く知られている。しかしながら、ウレタン製マットレスの寝心地は、スプリングコイル内蔵マットレスの寝心地と比較すると、顕著に劣る。
【０００４】
スプリングコイル内蔵マットレスを丸めてロール状に変形させることができれば、収納時あるいは搬送時のスペースを小さくできるため、大変に画期的である。本件出願人は、そのような観点から鋭意検討を重ね、図７に示すように丸めてロール状に変形させることが可能なスプリングコイル内蔵マットレスをすでに開発している（特許文献１）。
【先行技術文献】
【特許文献】
【０００５】
【特許文献１】特表２０１５−５３３５８７
【発明の概要】
【発明が解決しようとする課題】
【０００６】
本件発明者は、寝心地の更なる向上を目指して、鋭意検討を重ねてきた。そして、２つのスプリングコイル内蔵マットレスを上下に積層することによって、寝心地が更に向上することを見出した。
【０００７】
更に、本件発明者は、単にスプリングコイル内蔵マットレスを上下に積層することに留まらず、２つのマットレスが互いにずれないよう十分な固着力をもって互いに固定されること、及び、そのような固定のための部材ないし領域が介在することによって寝心地が悪化することがないこと、という２点の問題に対処する好適な方策をも見出した。
【０００８】
本発明は、以上の知見に基づいて創案されたものである。本発明の目的は、寝心地に優れた、２つのスプリングコイル内蔵マットレスが上下に積層される積層マットレスを提供することである。
【課題を解決するための手段】
【０００９】
本発明は、第１タイプのスプリングコイルを含む第１スプリング構造体と、前記第１スプリング構造体の上面側に設けられた第１上面保護材と、前記第１スプリング構造体の下面側に設けられた第１下面保護材と、を有する第１マットレスと、第２タイプのスプリングコイルを含む第２スプリング構造体と、前記第２スプリング構造体の上面側に設けられた第２上面保護材と、前記第２スプリング構造体の下面側に設けられた第２下面保護材と、を有する第２マットレスと、を備え、前記第１マットレスの前記第１上面保護材と前記第２マットレスの前記第２下面保護材とが互いに固定される積層マットレスであって、前記第１マットレスの前記第１上面保護材と前記第２マットレスの前記第２下面保護材との互いに対向する面の一方は、トリコット生地からなっており、前記第１マットレスの前記第１上面保護材と前記第２マットレスの前記第２下面保護材との互いに対向する面の他方の少なくとも一部は、面ファスナーのフック面となっていることを特徴とする積層マットレスである。
【００１０】
本発明によれば、２つのスプリングコイル内蔵マットレスを上下に積層することによって、寝心地を更に向上させることができた。しかも、２つのマットレスが互いにずれないよう十分な固着力をもって互いに固定され、且つ、そのような固定のための部材ないし領域が介在することによって寝心地が悪化することも無かった。
【００１１】
補足すれば、本件発明者は、面ファスナーのフック面及びループ面の組合せ、ベルト及び金具の組合せ、ジッパーによる固定、等の様々な固定方法について実験を重ねた結果、２つのマットレスが互いにずれないよう十分な固着力をもって互いに固定されること、及び、そのような固定のための部材ないし領域が介在することによって寝心地が悪化することがないこと、という観点から、トリコット生地と面ファスナーのフック面との組合せが優れていることを知見し、本発明ないし本出願に至ったものである。
【００１２】
なお、固定のための領域が寝心地に影響しないためには、面ファスナーのフック面は外縁部のみに、例えば１５〜５０ｍｍの幅の領域のみに、設けられることが好ましい。このような限られた領域であっても、トリコット生地と面ファスナーのフック面との結合力は十分に強いため、２つのマットレスが互いにずれることはない。
【００１３】
更に、第２マットレスの第２上面保護材の更に上に、第３マットレスが積層されてもよい。例えば、第３マットレスは、体圧分散ウレタンマットレスである。この場合、第３マットレスもずれないよう、第２マットレスの第２上面保護材と第３マットレスの下面との互いに対向する面の一方が、トリコット生地からなっており、第２マットレスの第２上面保護材と第３マットレスの下面との互いに対向する面の他方の少なくとも一部が、面ファスナーのフック面となっていることが好ましい。
【００１４】
この場合も、固定のための領域が寝心地に影響しないためには、面ファスナーのフック面は外縁部のみに、例えば１５〜５０ｍｍの幅の領域のみに、設けられることが好ましい。このような限られた領域であっても、トリコット生地と面ファスナーのフック面との結合力は十分に強いため、第３マットレスがずれることはない。
【００１５】
更に、第３マットレスの上に、第４マットレスが積層されてもよい。この場合、例えば、第３マットレスは、ラテックスマットレスであり、第４マットレスが、体圧分散ウレタンマットレスである。この場合、第４マットレスもずれないよう、第３マットレスの上面と第４マットレスの下面との一方が、トリコット生地からなっており、第３マットレスの上面と第４マットレスの下面との他方の少なくとも一部が、面ファスナーのフック面となっていることが好ましい。
【００１６】
この場合も、固定のための領域が寝心地に影響しないためには、面ファスナーのフック面は外縁部のみに、例えば１５〜５０ｍｍの幅の領域のみに、設けられることが好ましい。このような限られた領域であっても、トリコット生地と面ファスナーのフック面との結合力は十分に強いため、第４マットレスがずれることはない。
【００１７】
本件発明者による各種の実験結果によれば、快適な寝心地を提供すると共に、ロール状への変形性能ないしロール状からの復帰性能の観点から、第１タイプのスプリングコイルは、６０ｍｍ〜１７０ｍｍの厚みを有していることが好ましく、一方、第２タイプのスプリングコイルは、４０ｍｍ〜８０ｍｍの厚みに抑えられることが好ましい。
【発明の効果】
【００１８】
本発明によれば、２つのスプリングコイル内蔵マットレスを上下に積層することによって、寝心地を更に向上させることができた。しかも、２つのマットレスが互いにずれないよう十分な固着力をもって互いに固定され、且つ、そのような固定のための部材ないし領域が介在することによって寝心地が悪化することも無かった。
【図面の簡単な説明】
【００１９】
【図１】本発明の一実施の形態における積層マットレスの斜視図及び分解斜視図である。
【図２】第１マットレスの断面構造を示す概略断面図である。
【図３】第２マットレスの断面構造を示す概略断面図である。
【図４】第３マットレスの断面構造を示す概略断面図である。
【図５】第４マットレスの断面構造を示す概略断面図である。
【図６】第４マットレスの下面の外縁部に設けられた面ファスナーのフック面と、第３マットレスの上面に設けられたトリコット生地と、を同時に示す斜視図である。
【図７】マットレスを丸める作業を示す概略図である。
【発明を実施するための形態】
【００２０】
以下、図面を参照して本発明の一実施の形態について説明する。  
図１は、本発明の一実施の形態における積層マットレスの斜視図及び分解斜視図である。図１に示すように、本実施の形態の積層マットレス１は、第１マットレス１０と、第２マットレス２０と、第３マットレス３０と、第４マットレス４０と、が当該順序で互いに積層固定された積層マットレスである。
【００２１】
図２は、第１マットレス１０の断面構造を示す概略断面図である。第１マットレス１０は、第１タイプのスプリングコイルを含む第１スプリング構造体１６と、第１スプリング構造体１６の上面側に設けられた第１上面保護材と、第１スプリング構造体１６の下面側に設けられた第１下面保護材と、を有している。
【００２２】
本実施の形態の第１タイプのスプリングコイルは、つづみ型スプリングコイルであって、鋼線径２．２ｍｍ、コイル径６５ｍｍ、コイル高さ１２０ｍｍ、コイル巻き数５、であり、材料は、ＳＷＲＨ７２Ｂ・硬鋼線Ｃ種である。
【００２３】
また、本実施の形態では、第１上面保護材は、トリコット生地１１と、ウレタン１２と、不織布１３と、上第１フェルト１４と、上第２フェルト１５と、の５層構造からなっており、一方、第１下面保護材は、下フェルト１７と、不織布１８と、の２層構造からなっている。そして、第１上面保護材のうち、トリコット生地１１、ウレタン１２及び不織布１３が、キルティング加工されている。
【００２４】
トリコット生地１１は、厚み１ｍｍ、生地目付け１８０ｇ／ｍ2  であり、ウレタン１２は、厚み１０ｍｍ、密度２５ｋｇ／ｍ3  である。フェルト１４、１５、１７は、いずれも、厚み２．５ｍｍであり、不織布１３、１８は、いずれも、厚み０．２５ｍｍである。
【００２５】
次に、図３は、第２マットレス２０の断面構造を示す概略断面図である。第２マットレス２０は、第２タイプのスプリングコイルを含む第２スプリング構造体２４と、第２スプリング構造体２４の上面側に設けられた第２上面保護材と、第２スプリング構造体２４の下面側に設けられた第２下面保護材と、を有している。
【００２６】
本実施の形態の第２タイプのスプリングコイルは、ちょうちん型スプリングコイルであって、鋼線径１．８ｍｍ、コイル径６５ｍｍ、コイル高さ６０ｍｍ、コイル巻き数５、であり、材料は、ＳＷＲＨ７２Ｂ・硬鋼線Ｃ種である。
【００２７】
また、本実施の形態では、第２上面保護材は、トリコット生地２１と、ウレタン２２と、不織布２３と、の３層構造からなっており、一方、第２下面保護材は、不織布２５からなっている。そして、第２上面保護材の全て、すなわち、トリコット生地２１、ウレタン２２及び不織布２３が、キルティング加工されている。
【００２８】
そして、最下層である不織布２５の下面（通常は長方形である）の外縁部に、例えば２５ｍｍの幅で、面ファスナーのフック面２６が設けられている。
【００２９】
トリコット生地２１は、厚み１ｍｍ、生地目付け１８０ｇ／ｍ2  であり、ウレタン２２は、厚み１０ｍｍ、密度２５ｋｇ／ｍ3  である。不織布２３、２５は、いずれも、厚み０．２５ｍｍである。
【００３０】
続いて、図４は、第３マットレス３０の断面構造を示す概略断面図である。第３マットレス３０は、高さ５０ｍｍのラテックス３４と、ラテックス３４の上面側に設けられた第３上面保護材と、ラテックス３４の下面側に設けられた第３下面保護材と、を有している。
【００３１】
本実施の形態では、第３上面保護材は、トリコット生地３１と、ウレタン３２と、不織布３３と、の３層構造からなっており、一方、第３下面保護材は、不織布３５からなっている。そして、第３上面保護材の全て、すなわち、トリコット生地３１、ウレタン３２及び不織布３３が、キルティング加工されている。
【００３２】
そして、最下層である不織布３５の下面（通常は長方形である）の外縁部に、例えば２５ｍｍの幅で、面ファスナーのフック面３６が設けられている。
【００３３】
トリコット生地３１は、厚み１ｍｍ、生地目付け１８０ｇ／ｍ2  であり、ウレタン３２は、厚み１０ｍｍ、密度２５ｋｇ／ｍ3  である。不織布３３、３５は、いずれも、厚み０．２５ｍｍである。
【００３４】
更に続いて、図５は、第４マットレス４０の断面構造を示す概略断面図である。第４マットレス４０は、高さ４０ｍｍの高弾力ウレタン４５と、高弾力ウレタン４５の上面側に設けられた第４上面保護材と、高弾力ウレタン４５の下面側に設けられた第４下面保護材と、を有している。高弾力ウレタン４５の密度は、２５ｋｇ／ｍ3  である。そして、第４上面保護材から第４下面保護材までの全体が、キルティング加工されている。
【００３５】
本実施の形態では、第４上面保護材は、表面ニット生地４１と、ポリエステルファイバー層４２と、高通気性ウレタン４３と、不織布４４と、の４層構造からなっており、一方、第４下面保護材は、不織布４６からなっている。
【００３６】
そして、最下層である不織布４６の下面（通常は長方形である）の外縁部に、例えば２５ｍｍの幅で、面ファスナーのフック面４７が設けられている。
【００３７】
表面ニット生地４１は、厚み１ｍｍ、生地目付け３００ｇ／ｍ2  であり、ポリエステルファイバー層４２は、厚み１０ｍｍであり、高通気性ウレタン４３は、厚み１０ｍｍ、密度２５ｋｇ／ｍ3  である。不織布４４、４６は、いずれも、厚み０．２５ｍｍである。
【００３８】
図６は、第４マットレス４０の下面の外縁部に設けられた面ファスナーのフック面４７と、第３マットレス３０の上面に設けられたトリコット生地３１と、を同時に示す斜視図である。図６に示すようなトリコット生地３１と面ファスナーのフック面４７との組合せが採用されたことにより、２つのマットレス３０、４０が互いにずれないよう十分な固着力をもって互いに固定され、且つ、そのような固定のための領域（面ファスナーのフック面４７の領域）が介在することによって寝心地が悪化することもない。
【００３９】
図示を省略するが、同様に、トリコット生地１１と面ファスナーのフック面２６との組合せが採用されたことにより、２つのマットレス１０、２０が互いにずれないよう十分な固着力をもって互いに固定され、且つ、そのような固定のための領域（面ファスナーのフック面２６の領域）が介在することによって寝心地が悪化することもない。
【００４０】
更に同様に、トリコット生地２１と面ファスナーのフック面３６との組合せが採用されたことにより、２つのマットレス２０、３０が互いにずれないよう十分な固着力をもって互いに固定され、且つ、そのような固定のための領域（面ファスナーのフック面３６の領域）が介在することによって寝心地が悪化することもない。
【００４１】
以上のような本実施の形態によれば、２つのスプリングコイル内蔵マットレス１０、２０を上下に積層することによって、寝心地を更に向上させることができた。
【００４２】
更に、本実施の形態によれば、トリコット生地１１、２１、３１と面ファスナーのフック面２６、３６、４７との組合せが採用されたことにより、直接重なり合うマットレス同士が互いにずれないよう十分な固着力をもって互いに固定されている。そしてまた、そのような固定のための部材ないし領域（面ファスナーのフック面２６、３６、４７）が介在することによって寝心地が悪化することもない。
【００４３】
更に、以上のような積層マットレス１は、それぞれのマットレス（パーツ）が、丸めてロール状に変形させることが可能であり（図７参照）、且つ、当該ロール状の変形状態を開放した時に元の平坦な状態に復帰することが可能である。このため、保管や搬送に関するコストを抑えることができる。
【００４４】
なお、以上に説明した積層マットレス１は、例えば第３マットレス３０を省いた状態でも製品として成立する。すなわち、そのような製品形態でも販売が可能である（この場合、第４マットレス４０が、請求項３等の第３マットレスに該当する）。更に、積層マットレス１は、第２マットレス２０を省いた状態でも製品として成立する。
【００４５】
要するに、以上に説明した積層マットレス１は、個々のマットレス単位での販売が可能である。このことにより、顧客に対してマットレス単位での買増ないし買替を促すことが可能であるため、商品展開のフレキシビリティが増す。一方で、個々のマットレス単位での製造が可能であるから、マットレス毎に最適なメーカーを決定することが可能である。
【符号の説明】
【００４６】
１  積層マットレス
１０  第１マットレス（スプリングコイル内蔵マットレス）
１１  トリコット生地
１２  ウレタン
１３  不織布
１４  上第１フェルト
１５  上第２フェルト
１６  第１スプリング構造体
１７  下フェルト
１８  不織布
２０  第２マットレス（スプリングコイル内蔵マットレス）
２１  トリコット生地
２２  ウレタン
２３  不織布
２４  第２スプリング構造体
２５  不織布
２６  面ファスナーのフック面
３０  第３マットレス（ラテックスマットレス）
３１  トリコット生地
３２  ウレタン
３３  不織布
３４  ラテックス
３５  不織布
３６  面ファスナーのフック面
４０  第４マットレス（体圧分散ウレタンマットレス）
４１  表面ニット生地
４２  ポリエステルファイバー
４３  高通気性ウレタン
４４  不織布
４５  高弾力ウレタン
４６  不織布
４７  面ファスナーのフック面
【図１】
2018033860.tif 000003
【図２】
2018033860.tif 000004
【図３】
2018033860.tif 000005
【図４】
2018033860.tif 000006
【図５】
2018033860.tif 000007
【図６】
2018033860.tif 000008
【図７】
2018033860.tif 000009